(57)【要約】【課題】ミラーホルダーを支持する支持部材を正確に位置決めでき、且つ、ハウジングに簡単に固定できる表示装置を提供する。【解決手段】表示器２１は表示光を発する。反射部材３０は、表示光を反射させる反射ミラー３１及び反射ミラー３１を保持するミラーホルダー３２を備える。ハウジング５０は、第一のケース体５１及び第一のケース体５１に組付けられる第二のケース体５２からなり、表示器２１及び前記反射部材３０を収容する。支持部材６０は、第一のケース体５１に位置決めされる位置決め部６０ａ，６０ｂ，６０ｃと、ミラーホルダー３２を支持する支持部６０ｄと、第二のケース体５２を第一のケース体５１に組付けるときに第二のケース体５２によって押圧される押圧部６０ｅとを備える。【選択図】  図２
2004338578.tif 000002
【特許請求の範囲】
【請求項１】
表示光を発する表示器と、
前記表示光を反射させる反射ミラー及び前記反射ミラーを保持するミラーホルダーを備えた反射部材と、
第一のケース体及び前記第一のケース体に組付けられる第二のケース体からなり前記表示器及び前記反射部材を収容するハウジングと、
前記第一のケース体に位置決めされる位置決め部と、前記ミラーホルダーを支持する支持部と、前記第二のケース体を前記第一のケース体に組付けるときに前記第二のケース体によって押圧される押圧部とを備えた支持部材と、
を有することを特徴とする表示装置。
【請求項２】
前記支持部材は、前記反射部材を揺動可能な状態で支持することを特徴とする請求項１に記載の表示装置。
【請求項３】
前記反射部材を揺動させる駆動機構を設けたことを特徴とする請求項２に記載の表示装置。
【請求項４】
前記表示光が前記反射ミラーの側端面で反射されることを防止するための凸部を前記第一のケース体に設けたことを特徴とする請求項１に記載の表示装置。
【発明の詳細な説明】
【０００１】
【発明の属する技術分野】
本発明は、表示装置に関するものであり、特に、表示器が発した表示光を反射させて虚像を表示する表示装置に関するものである。
【０００２】
【従来の技術】
従来より、発光型表示器が発した表示光を反射させて虚像を表示するヘッドアップディスプレイ装置が種々提案されており、例えば特許文献１に開示されている。ヘッドアップディスプレイ装置は、車両のダッシュボード１に配設された表示装置２が投射する表示光Ｌをフロントガラス３で運転者４の方向に反射させ、虚像Ｖを表示するものである（図６参照）。
【０００３】
【特許文献１】
特開平１１−３１００５５号公報
【０００４】
表示装置２は、液晶表示器５と凹面反射ミラー６とを有しており、これらの液晶表示器５及び凹面反射ミラー６はハウジング７に収容されている（図７参照）。液晶表示器５は、液晶表示素子８と、この液晶表示素子８を後方から照明する発光ダイオード９と、この発光ダイオード９を搭載する回路基板１０とを有している。ハウジング７には、ポリカーボネート等の透光性樹脂からなる透光性カバー１１が設けられており、表示光Ｌは透光性カバー１１を通過してフロントガラス３に投射される。
【０００５】
凹面反射ミラー６は、ミラーホルダー１２に保持されており、モーター１３及び歯車１４等からなる駆動機構１５によって揺動可能になっている。運転者４は、虚像Ｖを視認できるように、図示しない押ボタンスイッチを操作し、凹面反射ミラー６の角度位置を調整する。図８に示すように、ミラーホルダー１２は、支持部材１７によって、回動可能な状態で支持されている。つまり、ミラーホルダー１２には孔部１２ａが形成されており、この孔部１２ａに支持部材１７の支持部１７ａが挿入されてミラーホルダー１２が支持されている。支持部材１７は、ビス１８によってハウジング７に固定されている。
【０００６】
【発明が解決しようとする課題】
しかしながら、支持部材１７を正確に位置決めしてハウジング７に固定することが困難であり、支持部材１７によって支持されるミラーホルダー１２及び凹面反射鏡６が所定の位置から若干外れてしまい、所望の位置に虚像が表示できない虞があった。また、支持部材１７をビスで固定しているため、支持部材１７をハウジング７に組付ける作業が煩雑であるという問題を有していた。
本発明は、この問題に鑑みなされたものであり、ミラーホルダーを支持する支持部材を正確に位置決めでき、且つ、ハウジングに簡単に固定できる表示装置を提供するものである。
【０００７】
【課題を解決するための手段】
本発明は、前記課題を解決するため、請求項１に記載したように、表示光を発する表示器２１と、前記表示光を反射させる反射ミラー３１及び前記反射ミラー３１を保持するミラーホルダー３２を備えた反射部材３０と、第一のケース体５１及び前記第一のケース体５１に組付けられる第二のケース体５２からなり前記表示器２１及び前記反射部材３０を収容するハウジング５０と、前記第一のケース体５１に位置決めされる位置決め部６０ａ，６０ｂ，６０ｃと、前記ミラーホルダー３２を支持する支持部６０ｄと、前記第二のケース体５２を前記第一のケース体５１に組付けるときに前記第二のケース体５２によって押圧される押圧部６０ｅとを備えた支持部材６０と、を有するものである。
【０００８】
また、本発明は、請求項２に記載したように、前記支持部材６０は、前記反射部材３０を揺動可能な状態で支持するものである。
【０００９】
また、本発明は、請求項３に記載したように、前記反射部材３０を揺動させる駆動機構３５を設けたものである。
【００１０】
また、本発明は、請求項４に記載したように、前記表示光が前記反射ミラー３１の側端面３１ａで反射されることを防止するための凸部５１ａを前記第一のケース体５１に設けたものである。
【００１１】
【発明の実施の形態】
以下、本発明を車両用ヘッドアップディスプレイに適用した一実施例を説明する。
【００１２】
２１は液晶表示器（表示器）であり、この液晶表示器２１は、液晶表示素子２２，レンズ２３，発光ダイオード２４，回路基板２５，筐体２６を有している。液晶表示素子２２は、ＴＦＴ型の液晶パネルの前後両面に偏光板を貼着したものであり、車両の速度を表示する。レンズ２３はアクリル或いはポリカーボネート等の透光性樹脂からなるものであり、液晶表示素子２１と発光ダイオード２４の間に配置されている。
【００１３】
発光ダイオード２４は、白色で発光するものであり、レンズ２３を介して、液晶表示素子２２を照明する。回路基板２５には、後述するマイコン等が搭載されている。液晶表示素子２２，レンズ２３，発光ダイオード２４及び回路基板２５は、筐体２６に収容されている。
【００１４】
３０は反射部材であり、この反射部材３０は凹面反射ミラー３１及びミラーホルダー３２を有している。凹面反射ミラー３１は、樹脂（例えばポリカーボネート）に金属（例えばアルミニウム）を蒸着させ反射面を形成したものであり、ミラーホルダー３２に貼着されている。凹面反射ミラー３１は、液晶表示器２１が発した表示光Ｌをフロントガラスの方向に反射させる。ミラーホルダー３２には、ギア部３２ａと、後述する支持部が挿入される孔部３２ｂとが形成されている。
【００１５】
３３は歯車であり、この歯車３３はミラーホルダー３２のギア部３２ｂに噛合している。３４はステッピングモータであり、このステッピングモータ３４の回動軸３４ａに歯車３３が取付けられている。駆動機構３５は、ステッピングモータ３４及び歯車３３からなるものである。３６はフレーム部材であり、このフレーム部材３６に、ステッピングモータ３４が固定されている。ミラーホルダー３２の一端は、後述する支持部材に支持されており、他端はフレーム部材３６に支持されている。
【００１６】
４１はフォトダイオード等の外光センサであり、この外光センサ４１はセンサホルダー４２に保持されている。外光センサ４１の光軸は前向きになっており、車両前方の照度を検出する。外光センサ４１を保持したセンサホルダー４２は、液晶表示器２１の上面に図示しないビスによって固定されている。４３は回路基板であり、この回路基板４３に外光検出素子４１が電気的に接続されている。４４はハーネス等の配線部材であり、この配線部材４４の一端は回路基板４３に接続され、他端は回路基板２５に接続される。
【００１７】
５０はハウジングであり、このハウジング５０に液晶表示器２１，凹面反射ミラー３１，外光センサ４１等が収容されている。ハウジング５０は、第一のケース体５１と、この第一のケース体５１に取付けられる第二のケース体５２とからなっている。液晶表示器２１及びフレーム部材３６は、第一のケース体５１の底面に固定されている。第一のケース体５１の底面には、凸部５１ｆが形成されており、液晶表示器２１が発した表示光が凹面反射ミラー３１の側端面３１ａに当たって反射され、ゴースト像ができることを防止している。
【００１８】
第二のケース体５２には開口部５３が形成されており、この開口部５３に透光性カバー５４が設けられている。透光性カバー５４はポリカーボネート等の透光性樹脂からなるものであり、湾曲形状になっている。表示光Ｌは、透光性カバー５４を透過し、表示装置からフロントガラスに出射する。
【００１９】
５５は遮光壁であり、この遮光壁５５は第二のケース体５２と一体に形成されており、太陽光が開口部５３から液晶表示器２１に入射し虚像が見えにくくなる現象（ウォッシュアウト）を防止している。遮光壁５５は第二のケース体５２の上壁から傾斜して垂下しており、外光検出素子４１に対応する箇所には孔部５６が形成されている。外光検出素子４１は、透光性カバー５４を透過し孔部５６を通過した外光を検出する。
【００２０】
６０は支持部材であり、この支持部材６０によってミラーホルダー３２の一端が支持されている（図２参照）。支持部材６０は、位置決め部６０ａ，６０ｂ，６０ｃ，支持部６０ｄ及び押圧部６０ｅを有している（図４参照）。支持部材６０は、第一のケース体５１に設けられた保持部５１ａによって保持されている。
【００２１】
次に、図５に示すブロック図に基づいて、表示装置の電気的構成について説明する。７１は速度センサであり、この速度センサ７１はマイコン７２に速度データを出力する。マイコン７２は、ＣＰＵ７３，ＲＡＭ７４，ＲＯＭ７５を有する。マイコン７２は、回路基板２５に搭載されており、駆動回路７６，７７を介して液晶表示素子２２及び発光ダイオード２４を駆動する。マイコン７２は、外光検出素子４１が出力した照度データに基づいて、ＲＯＭ７５に記憶されたプログラムに従って、所定の演算処理を行い、発光ダイオード２４の輝度を調整する。
【００２２】
次に、支持部材６０について詳述する。支持部材６０の位置決め部６０ａは、略半球状になっており、保持部５１ａの下側に形成された穴部５１ｂに嵌入されている（図２参照）。支持部材６０の位置決め部６０ｂ，６０ｃは、傾斜部を有する平板状になっており、保持部５１ａに形成された溝部５１ｃ，５１ｄに嵌入されている。支持部材６０の支持部６０ｄは略円柱状になっており、ミラーホルダー３２に形成された孔部３２ｂに挿入されている。押圧部６０ｅは、円柱状になっており、支持部材６０の上面側に配設されている。
【００２３】
第一のケース体５１の保持部５１ａに支持部材６０を保持した状態で、第一のケース体５１に第二のケース体５２を取付けると、第二のケース体５２に形成された突出部５２ａによって、支持部材６０の押圧部６０ｅが押付けられ、支持部材６０が固定される。
【００２４】
本実施形態によれば、支持部材６０をハウジング５０に位置決めして固定することができ、且つ、従来のようにビスを用いることがないので、支持部材６０を第一のケース体５１に組付ける作業が煩雑になる虞がない。また、第一のケース体５１に凸部５１ｆを設けたことにより、液晶表示器２１が発した表示光が凹面反射ミラー３１の側端面３１ａに当たってゴースト像が発生することを防止できる。
【００２５】
なお、本実施形態の表示器は液晶表示器２１であったが、例えば蛍光表示管または有機ＥＬ表示器であっても良い。また、本実施例は、フロントガラスで表示光Ｌを反射させて虚像を表示するヘッドアップディスプレイであったが、本発明は他の表示装置にも適用できることは言うまでもない。
【００２６】
【発明の効果】
本発明は、表示光を発する表示器と、前記表示光を反射させる反射ミラー及び前記反射ミラーを保持するミラーホルダーを備えた反射部材と、第一のケース体及び前記第一のケース体に組付けられる第二のケース体からなり前記表示器及び前記反射部材を収容するハウジングと、前記第一のケース体に位置決めされる位置決め部と、前記ミラーホルダーを支持する支持部と、前記第二のケース体を前記第一のケース体に組付けるときに前記第二のケース体によって押圧される押圧部とを備えた支持部材と、を有するものであり、ミラーホルダーを支持する支持部材を正確に位置決めでき、且つ、ハウジングに簡単に固定できる。
【００２７】
また、本発明は、前記表示光が前記反射ミラーの側端面で反射されることを防止するための凸部を前記第一のケース体に設けたものであり、表示器が発した表示光が反射部材の側端面に当たってゴースト像が発生することを防止できる。
【図面の簡単な説明】
【図１】本発明の実施形態を示す断面図。
【図２】同上実施形態を示す要部断面図。
【図３】同上実施形態を示す要部断面図。
【図４】同上実施形態を示す支持部材の斜視図。
【図５】同上実施形態を示すブロック図。
【図６】従来例を示すヘッドアップディスプレイの概略構成図。
【図７】同上従来例を示す断面図。
【図８】同上従来例を示す要部断面図。
【符号の説明】
２１    液晶表示器（表示器）
３０    反射部材
３１    凹面反射ミラー（反射ミラー）
３１ａ  側端面
３２    ミラーホルダー
３５    駆動機構
５０    ハウジング
５１    第一のケース体
５１ａ  凸部
５２    第二のケース体
６０    支持部材
６０ａ  位置決め部
６０ｂ  位置決め部
６０ｃ  位置決め部
６０ｄ  支持部
６０ｅ  押圧部
【図１】
2004338578.tif 000003
【図２】
2004338578.tif 000004
【図３】
2004338578.tif 000005
【図４】
2004338578.tif 000006
【図５】
2004338578.tif 000007
【図６】
2004338578.tif 000008
【図７】
2004338578.tif 000009
【図８】
2004338578.tif 000010